(57)【要約】【課題】容易に紙類を綴じることができる綴じ具を提供する。【解決手段】綴じ具は、端面同士が対向する二枚の基板と、一面が前記二枚の基板の一面に対向し、前記二枚の基板を前記端面同士が接離するように回動可能に支持する支持板と、前記二枚の基板夫々の他面から突出し、突出端部同士が前記基板の回動に伴って接離し、前記突出端部同士が接近することにより環状部を形成する環形成部と、一面が前記二枚の基板の一面に対向し、他面が前記支持板の一面に対向しており、前記支持板の一面に沿った方向に移動する移動板と、前記基板の一面及び前記移動板の一面の一方に設けられ、他方に向けて突出する凸部と、前記基板の一面及び前記移動板の一面の他方に設けられ、前記凸部が挿入される凹部とを備える。【選択図】図２
2018094893.tif 000002
【特許請求の範囲】
【請求項１】
端面同士が対向する二枚の基板と、
一面が前記二枚の基板の一面に対向し、前記二枚の基板を前記端面同士が接離するように回動可能に支持する支持板と、
前記二枚の基板夫々の他面から突出し、突出端部同士が前記基板の回動に伴って接離し、前記突出端部同士が接近することにより環状部を形成する環形成部と、
一面が前記二枚の基板の一面に対向し、他面が前記支持板の一面に対向しており、前記支持板の一面に沿った方向に移動する移動板と、
前記基板の一面及び前記移動板の一面の一方に設けられ、他方に向けて突出する凸部と、
前記基板の一面及び前記移動板の一面の他方に設けられ、前記凸部が挿入される凹部と
を備えることを特徴とする綴じ具。
【請求項２】
端面同士が対向する二枚の基板と、
一面が前記二枚の基板の一面に対向し、前記二枚の基板を前記端面同士が接離するように回動可能に支持する支持板と、
前記二枚の基板夫々の他面から突出し、突出端部同士が前記基板の回動に伴って接離し、前記突出端部同士が接近することにより環状部を形成する環形成部と、
前記支持板及び前記基板の一方に設けられ、前記基板の回動の軸方向に延び、一端部が前記一方の側端面に連なっている凹条と、
前記支持板及び前記基板の他方に設けられ、前記軸方向に延びており、前記凹条に、前記軸方向に相対的に移動できるように挿入される凸体と
を備えることを特徴とする綴じ具。
【請求項３】
前記支持板及び前記基板の一方に設けられ、前記軸方向において、所定距離離隔して対向する二つの対向面と、
前記支持板及び前記基板の他方に設けられ、前記二つの対向面の間に挿入されている挿入部を有する
ことを特徴とする請求項２に記載の綴じ具。
【請求項４】
一の前記基板における環形成部の先端部に設けられ、前記軸方向に貫通する貫通孔と、
他の前記基板における環形成部の先端部に設けられ、前記軸方向に延び、前記貫通孔に挿脱可能に挿入される突起と、
前記二枚の基板夫々の他面から突出し、前記軸方向に対向する二つの突出体と
を備えることを特徴とする請求項２又は３に記載の綴じ具。
【発明の詳細な説明】
【技術分野】
【０００１】
本発明は、紙類等を綴じる綴じ具に関する。
【背景技術】
【０００２】
従来、複数の紙類等の保管において、開閉可能な表紙部と、該表紙部の内側に設けられた綴じ具とを備えるファイルが使用される場合がある。綴じ具は、例えば、板状の第１リングベース（第１の連結板）及び第２リングベース（第２の連結板）と、第１リングベース及び第２リングベース夫々の一面から突出する円弧状のリング形成部（リング構成部材）とを有する（例えば、特許文献１参照）。
【０００３】
二つのリング形成部の先端部同士は脱離可能に互いに係合しており、先端部同士が係合した場合、二つのリング形成部並びに第１リングベース及び第２リングベースにより、Ｏ字状環又はＤ字状環等の環状部が形成される。
【０００４】
綴じ具においては、二つのリング形成部夫々を右手及び左手で把持し、リング形成部の先端部を互いに離隔させて係合を外した後、第１リングベース又は第２リングベースのリング形成部を、紙類に予め設けられた貫通孔に通し、リング形成部の先端部を互いに近接させて、リング形成部の先端部を係合させることにより、綴じ具に紙類が綴じることができる。
【先行技術文献】
【特許文献】
【０００５】
【特許文献１】特開２０１４−２２３７８２号公報
【発明の概要】
【発明が解決しようとする課題】
【０００６】
しかしながら、上記の綴じ具においては、環状部を開くために直接リング形成部を操作し、また、環状部が開いた状態から、意図せずにリング構成部材を近接させるように力が加わった場合に環状部が閉じる可能性がある。したがって、綴じ具により紙類を綴じることが煩雑になるという問題がある。
【０００７】
本発明は、斯かる事情に鑑みてなされたものであり、その目的とするところは、容易に紙類を綴じることができる綴じ具を提供することにある。
【課題を解決するための手段】
【０００８】
本発明に係る綴じ具は、端面同士が対向する二枚の基板と、一面が前記二枚の基板の一面に対向し、前記二枚の基板を前記端面同士が接離するように回動可能に支持する支持板と、前記二枚の基板夫々の他面から突出し、突出端部同士が前記基板の回動に伴って接離し、前記突出端部同士が接近することにより環状部を形成する環形成部と、一面が前記二枚の基板の一面に対向し、他面が前記支持板の一面に対向しており、前記支持板の一面に沿った方向に移動する移動板と、前記基板の一面及び前記移動板の一面の一方に設けられ、他方に向けて突出する凸部と、前記基板の一面及び前記移動板の一面の他方に設けられ、前記凸部が挿入される凹部とを備えることを特徴とする。
【０００９】
本発明によれば、支持板に対して、二枚の基板を端面が離隔し、また支持板から離隔するように回動させ、凸部を凹部から脱離させた場合に、移動板を移動させることができる。移動板を移動させることにより、凸部は凹部の底面に対向する位置から移動する。したがって、基板が元の位置に戻るように回動する力が加わった場合であっても、凸部が基板の一面に当接することにより、基板が回動した状態が維持される。したがって、環状部を開いた状態を維持することができ、容易に紙類を綴じることができる。
【００１０】
本発明に係る綴じ具は、端面同士が対向する二枚の基板と、一面が前記二枚の基板の一面に対向し、前記二枚の基板を前記端面同士が接離するように回動可能に支持する支持板と、前記二枚の基板夫々の他面から突出し、突出端部同士が前記基板の回動に伴って接離し、前記突出端部同士が接近することにより環状部を形成する環形成部と、前記支持板及び前記基板の一方に設けられ、前記基板の回動の軸方向に延び、一端部が前記一方の側端面に連なっている凹条と、前記支持板及び前記基板の他方に設けられ、前記軸方向に延びており、前記凹条に、前記軸方向に相対的に移動できるように挿入される凸体とを備えることを特徴とする。
【００１１】
本発明によれば、一の基板を軸方向に移動させることにより環形成部の先端部を離隔させて、環状部を開閉することができるので、容易に紙類を綴じることができる。また、凹条の一端部側から凸条を挿入することができるので、綴じ具の組み立ての際、基板を支持板に容易に取り付けることができる。
【００１２】
本発明に係る綴じ具は、前記支持板及び前記基板の一方に設けられ、前記軸方向において、所定距離離隔して対向する二つの対向面と、前記支持板及び前記基板の他方に設けられ、前記二つの対向面の間に挿入されている挿入部を有することを特徴とする。
【００１３】
本発明によれば、挿入部が対向面間を移動して、対向面に当接することにより、支持板に対する基板の移動が所定距離に限られる。したがって、基板の位置を安定させることができ、より容易に紙類を綴じることができる。
【００１４】
本発明に係る綴じ具は、一の前記基板における環形成部の先端部に設けられ、前記軸方向に貫通する貫通孔と、他の前記基板における環形成部の先端部に設けられ、前記軸方向に延び、前記貫通孔に挿脱可能に挿入される突起と、前記二枚の基板夫々の他面から突出し、前記軸方向に対向する二つの突出体とを備えることを特徴とする。
【００１５】
本発明によれば、二つの突出体に力を加えることで、軸方向において二枚の基板を反対方向に移動させることができる。これにより、貫通孔から突起を離脱させ、環を開くことができる。したがって、より容易に紙類を綴じることができる。
【発明の効果】
【００１６】
本発明によれば、容易に紙類を綴じることができる。
【図面の簡単な説明】
【００１７】
【図１】実施の形態に係る綴じ具を備えるファイルの外観斜視図である。
【図２】実施の形態に係る綴じ具の外観斜視図である。
【図３】綴じ具の正面図である。
【図４】綴じ具の側面図である。
【図５】第１リングベース及び第２リングベースの背面図である。
【図６】図３のＶＩ−ＶＩ線による断面図である。
【図７】図５のＶＩＩ−ＶＩＩ線による断面図である。
【図８】図６のＶＩＩＩ−ＶＩＩＩ線による断面図である。
【図９】ロックプレートの側面図である。
【図１０】ベースの正面図である。
【図１１】ベースの側面図である。
【図１２】環状部が開いた状態を示す断面図である。
【図１３】ロックプレートによるロック状態を示す断面図である。
【図１４】図１３のＸＩＶ−ＸＩＶ線による断面図である。
【発明を実施するための形態】
【００１８】
以下、本発明に係る綴じ具についてその実施の形態を示す図面に基づいて詳述する。図１は、実施の形態に係る綴じ具を備えるファイルの外観斜視図である。図１に示すように、ファイル１００は、表紙部１０１並びに綴じ具１０２を備える。表紙部１０１は、表表紙１０３、裏表紙１０４及び背表紙１０５を有する。背表紙１０５は、矩形状をなしており、長辺夫々に、矩形状の表表紙１０３及び裏表紙１０４が連設されている。表紙部１０１は、表表紙１０３及び裏表紙１０４夫々を、背表紙１０５に連なる部分で、互いに対向するように折り曲げることができ、これによりファイル１００は開閉される。
【００１９】
なお、図１においては、ファイル１００は一つの綴じ具１０２を有しているが、２以上の綴じ具１０２を有することとしてもよい。この場合、例えば、複数の綴じ具１０２は、背表紙１０５の長手方向に並設される。
【００２０】
綴じ具１０２は、背表紙１０５の内面に取り付けられている。また、紙類１０６（図では１枚）は、予め貫設した貫通孔に、綴じ具１０２の後述する開閉可能な二つのリング部７、７を挿通することにより、綴じられる。なお、紙類は、図１では１枚のみを示しているが複数枚であってもよい。
【００２１】
図２は、実施の形態に係る綴じ具の外観斜視図である。図３は綴じ具の正面図であり、図４は綴じ具の側面図である。図５は、第１リングベース及び第２リングベースの背面図であり、図６は、図３のＶＩ−ＶＩ線による断面図である。図７は、図３のＶＩＩ−ＶＩＩ線による断面図である。図８は、図６のＶＩＩＩ−ＶＩＩＩ線による断面図である。
【００２２】
綴じ具１００は、第１リングベース１と、第２リングベース２と、ロックプレート３と、ベース４とを備える。第１リングベース１は、一方向に長い板状をなす本体部１０を有する。本体部１０の一面は、紙類等が載置される正面をなし、本体部１０の他面は、後述するベース４に取り付けられる背面をなしている。
【００２３】
本体部１０の正面における長手方向の一端部及び他端部夫々から、断面が円形で、円弧状に延びるリング形成部１１，１１が突出している。二本のリング形成部１１，１１の基端部は、本体部１０の短手方向の一端部側に位置している。リング形成部１１の先端部は、本体部１０の正面に対向しており、本体部１０の短手方向の他端部側に延びる。リング形成部１１の先端部には、係合部１２が設けられている。係合部１２は、前記先端部に延設された半円状の土台部１２０を備え、該土台部１２０の半円状の直線側の面は、前記長手方向の他端部側に位置し、該面には前記長手方向他端部に向けて突出する突起１２１が設けられている。
【００２４】
本体部１０の短手方向の他端側端面から、突出板１３０，１３１が突出している。突出板１３０、１３１夫々の一面は本体部１０の正面と同一面をなしている。突出板１３０は、長手方向中央部において一端部寄りに位置し、突出板１３１は、他端部寄りに位置している。
【００２５】
本体部１０の正面において、突出板１３０，１３１間には、背面側に凹む凹部１３２が設けられている。突出板１３１の前記一面には、把持部１４が立設されている。把持部１４は、三角柱状をなしており、角部分が丸く形成されている。また、把持部１４は、突出板１３１の一面に設けられた補強部１４０により、補強されている。
【００２６】
また、図５に示すように、本体部１０の背面において、短手方向の他端部には、長手方向に長く、正面側に凹む凹部１５が設けられており、短手方向一端側には、長手方向に長く、正面側に凹む凹溝１６が設けられている。凹部１５及び凹溝１６の間には、長手方向に長く、正面側に凹む凹条１７が設けられている。凹溝１６の長手方向一端部には、壁部１６ａが設けられている。
【００２７】
凹部１５は、長手方向の一端部から他端部に向けて順に並び、凹部１５の底面から背面方向に突出する第１凸壁部１５１〜第８凸壁部１５８を有する。凹部１５において、長手方向一端部及び第１凸壁部１５１間には、後述の土台部３１０が挿入される凹穴１５ａが形成されている。また、凹部１５において、第４凸壁部１５３及び第５凸壁部１５５間には後述の第２凸部３２が挿入される凹穴１５ｂが形成されている。また、第５凸壁部１５５及び第６凸壁部１５６は、凹部１５の底面から背面方向に突出し、本体部１０の長手方向に延びる第９凸壁部１５９により接続されている。
【００２８】
凹条１７の凹面は断面が円形状をなしている。凹条１７の一端部は、本体部１０の長手方向一端部側において、本体部１０の側面に連なっている。したがって、凹条１７の一端部は、本体部１０の長手方向において、開口している。更に、本体部１０の背面において、第２凸壁部１５２及び第３凸壁部１５３間において、第２凸壁部１５２寄りの位置には、背面方向に突出し、先端部が第２凸壁部１５２側に延びる係止体１８が設けられている。
【００２９】
第２リングベース２は、一方向に長い板状をなす本体部２０を有する。本体部２０の一面は、紙類等が載置される正面をなし、本体部２０の他面は、後述するベース４に取り付けられる背面をなしている。
【００３０】
第２リングベース２は、本体部２０の短手方向一端側の面が、第１リングベース１の本体部１０の短手方向他端面に対向している。また、第２リングベース２は、本体部１０の短手方向一端面において、長手方向一端部が、第１リングベース１の本体部１０の長手方向一端部に対向し、長手方向他端部が、本体部１０の長手方向他端部に対向している。本体部２０の短手方向の一端側端面から、突出板２３０，２３１が突出している。突出板２３０、２３１夫々の一面は本体部２０の正面と同一面をなしている。突出板２３１は、長手方向中央部において同方向の一端部寄りに位置し、突出板２３０は、他端部寄りに位置している。
【００３１】
本体部２０の正面において、突出板２３０，２３１間の突出板２３１側には、背面側に凹む凹部２３２が設けられている。突出板２３１の前記一面には、把持部２４が立設されている。把持部２４は、三角柱状をなしており、角部分が丸く形成されている。また、把持部２４は、突出板２３１の一面に設けられた補強部２４０により、補強されている。なお、図７及び図８においては、把持部１４及び２４の図示は省略している。
【００３２】
本体部２０の正面における長手方向の一端部及び他端部夫々から、断面が円形で円弧状に延びる二本のリング形成部２１，２１が突出している。リング形成部２１，２１の基端部は、本体部２０の短手方向の他端部側に位置している。リング形成部２１の先端部は、本体部２０の正面に対向しており、本体部２０の短手方向の一端部側に延びる。リング形成部２１の先端部には、係合部２２が設けられている。係合部２２は、前記先端部に延設された断面半円状の土台部２２０を備え、該土台部２２０の半円状の直線側の面は、前記長手方向の一端部側に位置し、本体部２０の長手方向に貫通する貫通孔２２１が設けられている。
【００３３】
また、図５に示すように、本体部２０の背面において、短手方向の一端部には、長手方向に長く、正面側に凹む凹部２５が設けられており、短手方向の他端側には、長手方向に長く、正面側に凹む凹溝２６が設けられている。凹部２５及び凹溝２６の間には、長手方向に長く、正面側に凹む凹条２７が設けられている。凹溝２６の長手方向一端部には、壁部２６ａが設けられている。
【００３４】
凹部２５は、長手方向の一端部から他端部に向けて順に並び、凹部２５の底面から背面方向に突出する第１凸壁部２５１、第３凸壁部２５３、第２凸壁部２５２、第５凸壁部２５５及び第８凸壁部２５８を有する。凹部２５において、長手方向一端部及び第１凸壁部２５１間には、後述の土台部３１０が挿入される凹穴２５ａが形成されている。凹穴２５ａは本体部１０の長手方向一端側の側面に連なっている。したがって、凹穴２５ａは、本体部２０の長手方向の一端部側において開口している。また、凹部２５において、第２凸壁部２５２及び第５凸壁部２５５間には後述の第２凸部３２が挿入される凹穴２５ｂが形成されている。
【００３５】
凹条２７の凹面は断面が円形状をなしている。凹条２７の一端部は、本体部２０の長手方向一端部側において、本体部２０の側面に連なっている。したがって、凹条２７の一端部は開口している。更に、本体部２０の背面において、第２凸壁部２５２及び第３凸壁部２５３間において、第２凸壁部２５２寄りの位置には、背面方向に突出し、先端部の第２凸壁部側に延びる係止体２８が設けられている。
【００３６】
上記のように、第１リングベース１及び第２リングベース２は、本体部１０の長手方向他端面と、本体部２０の長手方向一端面が対向するように配されている。ここで、突出板１３１は、第２リングベース２の凹部２３２に挿入され、突出板２３１は、第１リングベース１の凹部１３２に挿入されている。凹部１３２及び凹部２３２は、連なっており、凹部１３２及び凹部２３２内において、突出板１３１及び突出板１３２は、長手方向において摺動可能である。把持部１４及び把持部２４は、長手方向において対向し、離隔している。突出板２３０は、本体部１０正面に重ねられている。
【００３７】
第１リングベース１の本体部１０の短手方向他端面において、長手方向一端側部分は短手方向一端面側に凹んでおり、また、第２リングベース２の本体部２０の短手方向一端面において、長手方向他端側部分は短手方向他端面側に凹んでいる。これにより、第１リングベース１及び第２リングベース２間に隙間部６０が形成される。突出板１３０は、隙間部６０に位置する。隙間部６０の本体部１０及び本体部２０夫々の対向面において、厚さ方向の中央部から対向方向に突出する突出体６１及び６２が設けられている。
【００３８】
更に、綴じ具１００は、コイルばね５を備える。コイルばね５は、弾性部５０と、該弾性部５０の両端に位置する円環部５１，５２を有する。弾性部５０には、ねじりモーメントがかけられており、コイルばね５は、いわゆるねじりコイルばねである。円環部５１に、係止体１８が挿通され、円環部５２に、係止体２８が挿通されることにより、コイルばね５は第１リングベース１及び第２リングベース２に係止されている。これにより、コイルばね５は、第１リングベース１及び第２リングベース２が後述する態様で離隔するように付勢している。
【００３９】
また、貫通孔２２１に突起１２１が挿入されることにより、リング形成部１１及びリング形成部２１は対向方向に互いに係止される。このとき、リング形成部１１及びリング形成部２１により、円弧が形成され、本体部１０及び本体部２０と合わせてリング部７を形成し、リング部７は閉じた状態となっている。本実施の形態において、リング部７は、Ｄ状環であるが、Ｏ状環等のその他の形状の環であってもよい。また、リング部７は、本実施の形態においては、二個形成されているが、一つ又は３以上のリング部を形成することとしてもよい。
【００４０】
図９は、ロックプレート３の側面図である。ロックプレート３は、矩形板状の本体部３０を有し、本体部３０の一面において、長手方向の一端部に第１凸部３１、長手方向の他端部側に同方向に並ぶ第２凸部３２及び第３凸部３３が設けられている。
【００４１】
第１凸部３１は、本体部３０の一面に立設された土台部３１０、接続部３１１及びレバー部３１２を有する。土台部３１０及びレバー部３１２は、接続部３１１に接続されている。土台部３１０において、前記長手方向一端部側の部分が接続部３１１に接続されており、同方向の他端部側の部分は、同側から反対側に高くなるように傾くテーパ部分が設けられ、当接部３１ａが形成されている。当接部３１ａは、後述するように、リング部７を開いた状態をロックする場合に第１凸壁部１５１及び第１凸壁部２５１に当接する。レバー部３１２は、接続部３１１に接続される支持台部３１３と、該支持台部３１３から接続部３１１の反対側に突出する矩形板状の突出部３１４とにより形成されている。
【００４２】
本体部３０の短手方向における土台部３１０の幅とレバー部３１２の同方向の幅は、突出体６１及び６２間の幅よりも大きい。接続部３１１の同方向の幅は、突出体６１及び６２間の幅よりも小さい。
【００４３】
第２凸部３２は、本体部３０の長手方向の一端部側から反対側に高くなるように傾くテーパ部分を有する。第３凸部３３は、前記長手方向の中央部が最も高く、同方向の一端及び他端夫々に向けて低くなるように傾くテーパ部分を有する。
【００４４】
ロックプレート３は、第１リングベース１及び第２リングベース２に対し、接続部３１１が突出体６１及び６２間に位置し、本体部３０の長手方向が、本体部１０及び本体部２０の長手方向に沿って平行に取り付けられる。突出体６１及び６２は、土台部３１０及びレバー部３１２間に位置している。
【００４５】
突起１２１が貫通孔２２１に挿入され、リング形成部１１及びリング形成部２１が係合し、リング部７が閉じている場合、第１凸部３１の土台部３１０は、凹部１５ａ、２５ａ内に位置し、第２凸部３２は、凹部１５ｂ及び２５ｂ内に位置する。また、第３凸部３３は、第６凸壁部１５６及び第７凸壁部１５７間並びに第５凸壁部２５５及び第８凸壁部２５８間に位置する。
【００４６】
図１０は、ベース４の正面図である。図１１は、ベース４の側面図である。ベース４は、一方向に長い板状の本体部４０を有し、本体部４０の正面に第１リングベース１及び第２リングベース２が取り付けられ、本体部４０の背面が背表紙１０５に対向する。
【００４７】
ベース４の長手方向一端部にはベース４よりも肉厚で側断面が台形状の第１取付部４１が設けられている。ベース４の短手方向の幅は、第１取付部４１の同方向の幅よりも小さい。第１取付部４１には、幅方向に並び、厚さ方向に貫通する二つの取付孔４１０，４１０が設けられている。本体部４０の長手方向他端部には、短手方向両端部に夫々、厚さ方向に貫通する二つの取付孔４２０，４２０が設けられている。
【００４８】
ベース４は、例えば、本体部４０の長手方向が背表紙１０５の長手方向に平行になるように配され、取付孔４１０及び４２０に挿通されたリベットを該背表紙１０５を貫通させかしめることによりファイル１００に取り付けられる、なお、ファイル１００及びベース４をポリプロピレン等の熱可塑性樹脂で形成し、超音波溶着することにより、ファイル１００にベース４を取り付けてもよい。
【００４９】
本体部４０の正面には、長手方向に延び短手方向に並設された二本の凸条部４３，４３が設けられている。凸条部４３は、本体部４０の長手方向に延び、断面が矩形状の土台部４３０を介して設けられている。また、凸条部４３の一端部は、第１取付部４１に達し、他端部は徐々に円の径が小さくなっており、円錐形をなしている。
【００５０】
本体部４０の正面において、凸条部４３，４３間には、長手方向に延びるレール溝４４が設けられている。レール溝４４の一端部は、第１取付部４１に達し、他端部は、本体部４０の長手方向他端面に連なっている。したがって、レール溝４４の他端部は、レール溝４４の長手方向において開口している。
【００５１】
本体部４０の短手方向両端面夫々において、係止部４５，４５が設けられている。係止部４５は、各端面において長手方向一端部に設けられている。係止部４５は、基端部が端面から本体部４０の外側に突出し、突出端部が第１取付部４１側に延びる突出部４５０と、該突出部４５０から正面方向に突出する係止体４５１とを備える。突出部４５０の突出端部は、第１取付部４１に対向し、所定距離離隔している。係止体４５１は、本体部４０の短手方向の平面視で、突出方向に向けて細くなる台形状をなしている。係止体４５１は、対向面４５２において、第１取付部４１の対向面４１１に対向している。対向面４１１及び４５２間には、凹溝１６の壁部１６ａ，２６ａが挿入される。なお、図６及び後述の図１１においては、係止部４５の図示を省略している。
【００５２】
本体部４０の短手方向一端側の凸条部４３は、第１リングベース１が凸条部４３を軸心として回動でき、長手方向の摺動できるように、凹条１７に嵌め込まれる。同方向他端側の凸条部４３は、第２リングベース２が凸条部４３を軸心として回動でき、長手方向に摺動できるように、凹条２７に嵌め込まれる。これにより、第１リングベース１及び第２リングベース２は、ベース４との対向方向への移動が規制される。また、ロックプレート３の本体部３０は、レール溝４４に挿入されている。
【００５３】
このとき、組み付けられた第１リングベース１及び第２リングベース２は、ベース４の長手方向他端側から、ロックプレート３の本体部３０の一端部側をレール溝４３の他端部から摺動させてレール溝４３に挿入していくことにより取り付けられる。また、レール溝４３への本体部３０を挿入する途中で、凹条１７及び２７の一端部側から凸条部４３、４３の円錐形の他端部が挿入されていく。更に、各係止体４５１が、凹溝１６及び２６夫々に挿入される。
【００５４】
第１リングベース１及び第２リングベース２がベース４に組み付けられた場合において、第１リングベース１及び第２リングベース２がベース４の長手方向他端部側に所定距離移動したとき、凹溝１６及び２６の他端部側の壁部１６ａ，２６ａが各係止体４５１の対向面４５２に当接し、逆方向に移動した場合、対向面４１１に当接する。したがって、第１リングベース１及び第２リングベース２の長手方向における移動範囲は、突出部４５及び第１取付体４１の対向距離に規制される。
【００５５】
以下、本実施の形態に係る綴じ具１００の動作について説明する。図１２は、リング部７が開いた状態を示す断面図である。ファイル１００は、保管時には、綴じ具１０２のリング部７が閉じた状態で使用される。ファイル１００に新たな紙類１０６を追加で綴じる場合に、以下に示すようにリング部７を開く。
【００５６】
把持部１４及び把持部２４に、対向方向において近接するように力を加えることにより、本体部１０が長手方向一端側に移動し、本体部２０が同方向他端側に移動する。これにより、突起１２１が貫通孔２２１から離脱する。また、このとき、コイルばね５の円環部５１が弾性部５０の長さ方向一端側に移動し、円環部５２が反対側に移動する。これにより、弾性部５０は、伸長される。
【００５７】
把持部１４及び把持部２４を前記力から解放することにより、コイルばね５の弾性部５０の付勢力により第１リングベース１の本体部１０及び第２リングベース２の本体部２０は、互いに離隔し、かつベース４の正面から離隔しようとする。これに伴い、本体部１０は、凸条部４３を軸心として回転し、本体部２０は、凸条部４３を軸心として回動する。これにより、リング形成部１１及びリング形成部２１の先端部は離隔し、リング部７が開く。このとき、弾性部５０は、元に戻るように収縮し、第１リングベース１及び第２リングベース２は、長手方向においてベース４に対して元の位置に戻る。
【００５８】
ここで、紙類１０６を、予め貫設した孔にリング形成部１１又は２１に挿通させることにより、第１リングベース１の本体部１０又は第２リングベース２の本体部２０の正面に紙類を載置する。その後、リング形成部１１及びリング形成部２１の先端部を近接させ、突起１２１を貫通孔２２１に挿入することにより、リング部７が閉じた状態となり、紙類を綴じ具１０２に綴じることができる。
【００５９】
ロックプレート３によるロック機構について説明する。ロックプレート３は、リング部７が開いた状態を維持するようにロックを行う。図１３は、ロックプレート３によるロック状態を示す断面図である。図１４は、図１３のＸＩＶ−ＸＩＶ線による断面図である。リング部７が開いている場合、土台部３１０の当接部３１ａは凹穴１５ａ，２５ａから脱離し、第２凸部３２は、凹穴１５ｂ，２５ｂから脱離する。ロックプレート３のレバー部３１１を第２取り付け体４２側に押すことにより、本体部３０がベース４のレール溝４４を摺動し、第１凸壁部１５１及び第１凸壁部２５１が土台部３１０上にテーパ形状に沿って移動する。また、第９凸壁部１５９及び第５凸壁部２５５が第２凸部３２上にテーパ形状に沿って移動する。
【００６０】
このとき、外部から第１リングベース１及び第２リングベース２を回動から元に戻すように意図しない力が加わった場合であっても、土台部３１０の当接部３１ａが第１凸壁部１５１及び第１凸壁部２５１に当接し、第２凸部３２が第９凸壁部１５９及び第５凸壁部２５５が当接する。これにより、第１リングベース１及び第２リングベース２において、本体部１０における短手方向一端部と、本体部２０の短手方向他端部とがベース４に向かう方向への回動が規制される。これにより、リング部７が開いた状態をロックすることができる。また、土台部３１０及び第２凸部３２を設けることにより、第１リングベース１及び第２リングベース２に対して、長手方向にバランスよく回動を規制することができる。
【００６１】
また、ロックプレート３のレバー部３１１を第２取り付け体４２側に押し、ロックを行うとき、ロックプレート３の第３凸部３３は、第６凸壁部１５６及び第７凸壁部１５７間から第７凸壁部１５７及び第８凸壁部１５８間に移動する。移動の際に、先端部が第７凸壁部１５７に当接する。これにより、レバー部３１１を第２取り付け体４２側に押す場合に、負荷がかかることとなり、使用者は、ロックを行っていることを認識しやすくなる。
【００６２】
以上の構成では、把持部１４及び把持部２４を対向方向に近接させるだけで、第１リングベース１及び第２リングベース２を回動させ、容易にリング形成部１１及びリング形成部２１の先端部を離隔させることができる。したがって、把持部１４及び把持部２４を片手で操作することによりリング部７を開くことができ、容易に紙類を綴じることができる。
【００６３】
また、ベース４に対して、第１リングベース１及び第２リングベース２を回動させた場合、第１凸部３１の当接部３１ａを凹穴１５ａ，２５ａから脱離し、第２凸部３２を凹穴１５ｂ，２５ｂから脱離し、ロックプレート３を移動させることができる。ロックプレート３を移動させることにより、第１凸部３１及び第２凸部３２を凹穴１５ａ，１５ｂ，２５ａ，２５ｂの底面に対向する位置から移動させることができる。第１凸部３１の土台部３１０が第１凸壁部１５１、２５１の突出面に接し、第２凸部３２が第９凸壁部１５５及び第５凸壁部２５５の突出面に接することにより、リング形成部１１及びリング形成部２１の先端部を離隔させた状態でロックすることが可能である。
【００６４】
したがって、紙類をリング形成部１１及びリング形成部２１に挿入する際に、第１リングベース１及び第２リングベース２が元の位置に戻るように回動する力が加わった場合であっても、意図せずに閉じてしまうことを防止できる。したがって、容易に紙類を綴じることができる。
【００６５】
更に、凹溝１６、２６に突出体４５０が挿入されているので、壁部１６ａ、２６ａの移動が第１取り付け体４１及び係止体４１０間内に規制され、本体部１０及び本体部２０の長手方向における移動を所定距離に規制することができる。したがって、第１リングベース１及び第２リングベース２の位置が安定するので、より容易に紙類を綴じることができる。
【００６６】
凹条１６、２６の他端部に凸条部４３を挿入するだけで、第１リングベース１及び第２リングベース２をベース４に取り付けることができる。したがって、綴じ具１００の組み立ての際、第１リングベース１及び第２リングベース２をベース４に容易に取り付けることができる。
【００６７】
把持部１４及び把持部２４を対向方向に近接させるだけで、貫通孔２２１から突起１２１を離脱させて、リング部７を開くことができる。したがって、より容易に紙類を綴じることができる。
【００６８】
なお、本実施の形態では、ロックプレート３に第１凸部３１及び第２凸部３２を設ける構成でなく、第１リングベース１、第２リングベース２の本体部１０，２０に凸部を設け、ロックプレート３に該凸部が挿入される凸部が挿入される凹部を設けることにより、リング部７が開いた状態を維持することとしてもよい。
【００６９】
また、ベース４に凸条４３，４３を設ける構成でなく、第１リングベース１、第２リングベース２の本体部１０，２０に凸条を設け、ベース４に該凸条が挿入される凹条を設けることとしてもよい。
【００７０】
更に、第１リングベース１、第２リングベース２の凹溝１６，２６の長手方向の長さを本実施形態よりも短くすることにより、係止体４５１の移動範囲を制限することにより、本体部１０及び本体部２０の長手方向における移動を所定距離に規制してもよい。この場合、凹溝１６，２６の底面における長手方向の両端部分が対向する二つの対向面をなし、係止体４５１が挿入部をなす。
【００７１】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００７２】
１０２  綴じ具
１  第１リングベース
１０  本体部（基板）
１１  リング形成部（環形成部）
１２１  突起
１４  把持部（突出体）
１５ａ，１５ｂ  凹穴（凹部）
１６ａ  壁部（挿入部）
１７  凹条
２  第２リングベース
２０  本体部（基板）
２１  リング形成部（環形成部）
２２１  貫通孔
２３  突出板
２４  把持部（突出体）
２５ａ，２５ｂ  凹穴（凹部）
２６ａ  壁部（挿入部）
２７  凹条
３  ロックプレート
３０  本体部（移動板）
３１  第１凸部
３１０  土台部
３１ａ  当接部（凸部）
３２  第２凸部（凸部）
４  ベース
４０  本体部（支持板）
４１１  対向面
４３  凸条（凸体）
４５２  対向面
７  リング部（環状部）
【図１】
2018094893.tif 000003
【図２】
2018094893.tif 000004
【図３】
2018094893.tif 000005
【図４】
2018094893.tif 000006
【図５】
2018094893.tif 000007
【図６】
2018094893.tif 000008
【図７】
2018094893.tif 000009
【図８】
2018094893.tif 000010
【図９】
2018094893.tif 000011
【図１０】
2018094893.tif 000012
【図１１】
2018094893.tif 000013
【図１２】
2018094893.tif 000014
【図１３】
2018094893.tif 000015
【図１４】
2018094893.tif 000016